(57)【要約】【課題】エスカレータの移動手摺において、エスカレータの利用者が比較的低い身長であっても、確実に掴むことができるようにする。【解決手段】移動手摺１８は断面略Ｃ字状であり、欄干１６上のガイドレール２０を断面略Ｃ字状の開口部２２でくわえ込むような状態で欄干１６に取り付けられる。移動手摺１８は、断面略Ｃ字状の背面２８側に、利用者の手が引っ掛かる引掛り部３０を有する。この構成により、エスカレータ１０の利用者が比較的低い身長であっても、利用者が引掛り部３０と移動手摺１８の縁部２４とを把持することができるので、移動手摺１８を確実に掴むことができる。【選択図】図３
2011148566.tif 000002
【特許請求の範囲】
【請求項１】
エスカレータに用いられる断面略Ｃ字状の移動手摺であって、欄干上に配置されたガイドレールを断面略Ｃ字状の開口部でくわえ込むような状態で欄干に取り付けられるエスカレータの移動手摺において、
断面略Ｃ字状の背面側に、利用者の手が引っ掛かる引掛り部を有する、
ことを特徴とするエスカレータの移動手摺。
【請求項２】
請求項１に記載のエスカレータの移動手摺において、
引掛り部は、移動手摺の長手方向に沿って延在するように形成される、
ことを特徴とするエスカレータの移動手摺。
【請求項３】
請求項２に記載のエスカレータの移動手摺において、
引掛り部は、前記背面から窪んで形成される凹部である、
ことを特徴とするエスカレータの移動手摺。
【請求項４】
請求項３に記載のエスカレータの移動手摺において、
凹部は、移動手摺を移動させる加圧ローラに当接する当接部を有する、
ことを特徴とするエスカレータの移動手摺。
【請求項５】
請求項３に記載のエスカレータの移動手摺において、
前記背面は、移動手摺を移動させる加圧ローラに当接する当接部を有し、
凹部は、前記当接部の領域を避けて設けられる、
ことを特徴とするエスカレータの移動手摺。
【請求項６】
請求項２に記載のエスカレータの移動手摺において、
引掛り部は、前記背面から突出して形成される凸部である、
ことを特徴とするエスカレータの移動手摺。
【請求項７】
請求項６に記載のエスカレータの移動手摺において、
前記背面は、移動手摺を移動させる加圧ローラに当接する当接部を有し、
凸部は、前記当接部の領域を避けて設けられる、
ことを特徴とするエスカレータの移動手摺。
【発明の詳細な説明】
【技術分野】
【０００１】
本発明は、エスカレータの移動手摺の構造の改良に関する。
【背景技術】
【０００２】
従来のエスカレータの構成について、図１，２を用いて説明する。図１は、従来のエスカレータ全体の斜視図であり、図２は、従来の欄干上の移動手摺の斜視図である。
【０００３】
エスカレータ１１０は、乗り口と降り口とからなる一対の乗降口１１２（図１には一方のみ示す）と、これらの乗降口１１２の間を無端状に連結されるとともに、駆動レール（図示せず）等に沿って循環走行する複数の踏段１１４と、循環走行する複数の踏段１１４と同期して欄干１１６の外周に沿ってスライドする無端状の移動手摺１１８とを備えている。エスカレータ１１０は、移動手摺１１８に手を掛けて、循環走行する踏段１１４に乗った利用者を、一方の乗降口１１２から他方の乗降口１１２へ移動させる。
【０００４】
移動手摺１１８は、一般的に、布製のキャンバス材などを積層した積層体を樹脂または接着剤で固めて、この移動手摺１１８の表面をゴム材などでコーティングして形成される。移動手摺１１８は、断面略Ｃ字状であり、図２に示されるように、欄干１１６上に配置されたガイドレール１２０を断面略Ｃ字状の開口部でくわえ込むような状態で欄干１１６に取り付けられる。
【０００５】
下記特許文献１には、欄干上部のガイドレールにスライド可能に取り付けられたエスカレータの移動手摺が記載されている。この移動手摺には、幅方向の両側の外表面から突出する凸部が多数設けられている。この特許文献１においては、移動手摺に掛けられた利用者の手が凸部の間に位置するので、利用者が移動手摺をしっかりと掴むことができることが記載されている。
【先行技術文献】
【特許文献】
【０００６】
【特許文献１】特開平１０−１１４４８６号公報
【発明の概要】
【発明が解決しようとする課題】
【０００７】
従来のエレベータの移動手摺は、上述のように断面略Ｃ字状であり、利用者の手が掛かる部分は、図２に示されるように、開口部上方の扁平形状の部分である。このため、利用者が移動手摺をしっかりと掴もうとすると、移動手摺の幅方向の両側を把持しなければならない。
【０００８】
しかしながら、利用者が、身長が比較的低い人、例えば子供である場合、欄干上にある移動手摺に十分に手が届かない。このような場合、利用者は、移動手摺の扁平形状の部分に手を添えることしかできず、移動手摺の幅方向の両側を把持することができない。したがって、利用者は移動手摺をしっかりと掴むことができないという問題があった。
【０００９】
本発明の目的は、エスカレータの利用者が比較的低い身長であっても、確実に掴むことができるエスカレータの移動手摺を提供することにある。
【課題を解決するための手段】
【００１０】
本発明は、エスカレータに用いられる断面略Ｃ字状の移動手摺であって、欄干上に配置されたガイドレールを断面略Ｃ字状の開口部でくわえ込むような状態で欄干に取り付けられるエスカレータの移動手摺において、断面略Ｃ字状の背面側に、利用者の手が引っ掛かる引掛り部を有することを特徴とする。
【００１１】
また、引掛り部は、移動手摺の長手方向に沿って延在するように形成されることができる。
【００１２】
また、引掛り部は、前記背面から窪んで形成される凹部であることが好適である。
【００１３】
また、凹部は、移動手摺を移動させる加圧ローラに当接する当接部を有することが好適である。
【００１４】
また、前記背面は、移動手摺を移動させる加圧ローラに当接する当接部を有し、凹部は、前記当接部の領域を避けて設けられることが好適である。
【００１５】
また、引掛り部は、前記背面から突出して形成される凸部であることが好適である。
【００１６】
また、前記背面は、移動手摺を移動させる加圧ローラに当接する当接部を有し、凸部は、前記当接部の領域を避けて設けられることが好適である。
【発明の効果】
【００１７】
本発明のエスカレータの移動手摺によれば、エスカレータの利用者が比較的低い身長であっても、確実に掴むことができる。
【図面の簡単な説明】
【００１８】
【図１】従来のエスカレータ全体の斜視図である。
【図２】従来の欄干上の移動手摺の斜視図である。
【図３】本実施形態にエスカレータの移動手摺を示す斜視図である。
【図４】移動手摺の断面図である。
【図５】別の態様の移動手摺の断面図である。
【図６】別の態様の移動手摺の断面図である。
【図７】別の態様の移動手摺の断面図である。
【図８】別の態様の移動手摺の断面図である。
【発明を実施するための形態】
【００１９】
以下、本発明に係るエレベータの移動手摺の実施形態について、図３，４を用いて説明する。図３は、本実施形態にエスカレータの移動手摺を示す斜視図であり、図４は、移動手摺の断面図である。なお、以降の図中の矢印Ｌ、Ｗは、移動手摺の長手方向、幅方向をそれぞれ示す。
【００２０】
エスカレータ１０は、循環走行する複数の踏段（図示せず）の幅方向の両側に立設された欄干１６と、欄干１６上に設けられたガイドレール２０とを備えている。ガイドレール２０の外周には、踏段の循環走行と同期してスライドする移動手摺１８が掛け渡されている。
【００２１】
移動手摺１８は、布製のキャンバス材などを積層した積層体を樹脂または接着剤で固めて、この移動手摺１８の表面をゴム材などでコーティングして形成される。移動手摺１８は、断面略Ｃ字状であり、これの開口部２２は拡開可能である。また、開口部２２を形成する断面略Ｃ字状の一対の開口端には縁部２４が設けられる。
【００２２】
移動手摺１８をガイドレール２０に取り付ける場合、開口部２２を拡開して移動手摺１８の内面２６側に、ガイドレール２０を挿入させる。移動手摺１８をガイドレール２０に取り付けた後は、拡開された開口部２２が復元するので、ガイドレール２０からの移動手摺１８の脱落が防止される。
【００２３】
ガイドレール２０に取り付けられた移動手摺１８は、欄干１６の下部内の移動手摺帰路途中に設けられた駆動ローラ（図示せず）とこの駆動ローラの下側に転接するように配置された加圧ローラとの間に通される。すなわち、移動手摺１８は、駆動及び加圧ローラ間に挟圧される。このとき、駆動ローラが移動手摺１８の内面２６に当接し、加圧ローラが内面２６の反対側にある面に当接する。これらのローラの動作により移動手摺１８が移動する。すなわち、駆動ローラの回転により、加圧ローラにより駆動ローラへ押し当てられる移動手摺１８が循環移動する。
【００２４】
本実施形態の移動手摺１８は、断面略Ｃ字状の背面２８側に、利用者の手が引っ掛かる引掛り部３０を有する。この構成により、エスカレータ１０の利用者が、例えば、比較的低い身長であり、移動手摺１８の背面２８の部分に手を添えることしかできず、移動手摺１８の両端にある縁部２４を把持することができない場合であっても、引掛り部３０と踏段側の縁部２４とを把持することができるので、移動手摺１８を確実に掴むことができる。以下、引掛り部３０の具体的な構成について説明する。
【００２５】
引掛り部３０は、移動手摺１８の長手方向に沿って延在するように形成される。すなわち、引掛り部３０は、移動手摺１８と同様、無端状に形成される。これにより、利用者は、移動手摺１８または踏段の位置に係わらず、引掛り部３０を必ず使用することができる。なお、本実施形態においては、引掛り部３０が移動手摺１８の長手方向に沿って延在するように形成される場合について説明したが、この構成に限定されない。利用者が引掛り部３０を不自由なく使用することができるのであれば、引掛り部３０を移動手摺１８の長手方向に間隔をあけて形成することができる。
【００２６】
また、引掛り部３０は、背面２８から窪んで形成される凹部である。凹部は、これの内壁部３２に利用者の指、すなわち親指以外の指を引っ掛けことができる程度の窪みである。この構成により、利用者が踏段側の内壁部３２と縁部２４とを把持することができる。
【００２７】
また、引掛り部３０は、加圧ローラに当接する当接部３４を有する。上述したように、加圧ローラは内面２６の反対側にある面に当接する。この面は、凹部の底面３６に相当する。このため、幅方向における底面３６の大きさは、加圧ローラの幅より大きくなるように形成される。このように、加圧ローラが凹部の底面３６に当接することにより、加圧ローラとの当接により移動手摺１８が汚れたとしても、利用者は、その汚れの領域、すなわち当接部３４に触れることなく移動手摺１８を把持することができるので、公衆衛生の向上を図ることができる。
【００２８】
次に、別の態様の移動手摺１８について、図５を用いて説明する。図５は、別の態様の移動手摺１８の断面図である。なお、上記実施形態と同じ構成要素については同一の符号を付し、詳細な説明は省略する。
【００２９】
この態様の引掛り部３８は、背面２８から突出して形成される凸部である。この引掛り部３８は、背面２８に手を十分に添えることができない利用者に対応するため、背面２８の踏段側に１列設けられる。凸部は、これの外壁部４０に利用者の指、すなわち親指以外の指を引っ掛けことができる程度の突出である。この構成により、利用者が、踏段に対して反対側の外壁部４０と、踏段側の縁部２４とを把持することができる。
【００３０】
また、この移動手摺１８は、背面２８に加圧ローラに当接する当接部３４が設けられ、引掛り部３８は、当接部３４の領域を避けて設けられる。すなわち、引掛り部３８は、当接部３４より踏段側に設けられる。このように、当接部３４が背面２８に形成されることにより、加圧ローラとの当接により移動手摺１８が汚れたとしても、利用者は、その汚れの領域、すなわち当接部３４に触れることなく移動手摺１８を把持することができるので、公衆衛生の向上を図ることができる。
【００３１】
この実施形態においては、引掛り部３８が、背面２８の踏段側に１列設けられる場合について説明したが、この構成に限定されない。図６に示されるように、引掛り部３８を、踏段に対して反対側にもう１列設けることができる。このように構成される移動手摺１８においは、形状が左右対称であるため、踏段の両側にあるどちらのガイドレール２０に対しても取り付けることができる。また、この移動手摺１８は、２つの引掛り部３８に挟まれた背面２８に当接部３４が設けられる。よって、上述のように、当接部３４が汚れたとしても、利用者は、その当接部３４に触れることなく移動手摺１８を把持することができる。
【００３２】
次に、別の態様の移動手摺１８について、図７を用いて説明する。図７は、別の態様の移動手摺１８の断面図である。なお、上記実施形態と同じ構成要素については同一の符号を付し、詳細な説明は省略する。
【００３３】
この態様の引掛り部４２は、背面２８から窪んで形成される凹部である。この引掛り部４２は、背面２８に手を十分に添えることができない利用者に対応するため、背面２８の踏段側に１列設けられる。凹部は、これの内壁部３２に利用者の指、すなわち親指以外の指を引っ掛けことができる程度の突出である。この構成により、利用者が、踏段側の内壁部３２と、踏段側の縁部２４とを把持することができる。
【００３４】
また、この移動手摺１８は、背面２８に加圧ローラに当接する当接部３４が設けられ、引掛り部４２は、当接部３４の領域を避けて設けられる。すなわち、引掛り部４２は、当接部３４より踏段側に設けられる。このように、当接部３４が背面２８に形成されることにより、加圧ローラとの当接により移動手摺１８が汚れたとしても、利用者は、その汚れの領域、すなわち当接部３４に触れることなく移動手摺１８を把持することができるので、公衆衛生の向上を図ることができる。
【００３５】
この実施形態においては、引掛り部４２が、背面２８の踏段側に１列設けられる場合について説明したが、この構成に限定されない。図８に示されるように、引掛り部４２を、踏段に対して反対側にもう１列設けることができる。このように構成される移動手摺１８においは、形状が左右対称であるため、踏段の両側にあるどちらのガイドレール２０に対しても取り付けることができる。また、この移動手摺１８は、２つの引掛り部４２に挟まれた背面２８に当接部３４が設けられる。よって、上述のように、当接部３４が汚れたとしても、利用者は、その当接部３４に触れることなく移動手摺１８を把持することができる。
【００３６】
また、この実施形態においては、引掛り部４２が当接部３４の領域を避けて、背面２８の踏段側に１列設けられる場合について説明したが、この構成に限定されない。利用者が、踏段側の内壁部３２と、踏段側の縁部２４とを把持することができるのであれば、引掛り部４２が当接部３４の領域、すなわち背面２８の中央に１列設けられてもよい。なお、この場合、利用者は、当接部３４に触れて移動手摺１８を把持するので、従来の移動手摺と同様、当接部３４の汚れが手についてしまうことになる。
【符号の説明】
【００３７】
１０，１１０  エスカレータ、１６，１１６  欄干、１８，１１８  移動手摺、２０，１２０  ガイドレール、２２  開口部、２４、縁部、２８  背面、３０，３８，４２  引掛り部、３２  内壁部、３４  当接部、３６  底面、４０  外壁部。
【図１】
2011148566.tif 000003
【図２】
2011148566.tif 000004
【図３】
2011148566.tif 000005
【図４】
2011148566.tif 000006
【図５】
2011148566.tif 000007
【図６】
2011148566.tif 000008
【図７】
2011148566.tif 000009
【図８】
2011148566.tif 000010